(57)【要約】      （修正有）【課題】動物のサーカディアン・リズムを乱すことが少なく、動物の睡眠時においても使用可能であり、また、昼間用の照明としても使用可能な汎用性の高い動物用ＬＥＤ照明装置を提供する。【解決手段】ＬＥＤ光源１０３と、ＬＥＤ光源１０３を内包するように覆う、透光部材を含む外装部１０２と、外装部１０２に取り付けられた電極部１０１と、電極部１０１に付設され、電極部１０１からＬＥＤ光源１０３に供給される電力を制御する制御手段１０４とを備え、ＬＥＤ光源１０３が、５７０ｎｍ以上６１０ｎｍ以下の波長帯域に中心波長を有する光を出射し、５００ｎｍ以下の波長の光を実質的に出射しない第１の光源と、５００ｎｍ以下の波長を含む白色または疑似白色光を出射する第２の光源を含み、制御手段１０４は、前記第１の光源と、前記第２の光源に供給される電力を個別に制御する構成とする。【選択図】図１
0003204449.tif 000002
【実用新案登録請求の範囲】
【請求項１】
ＬＥＤ光源と、
前記ＬＥＤ光源を内包するように覆う、透光部材を含む外装部と、
前記外装部に取り付けられた電極部と、
前記電極部に付設され、前記電極部から前記ＬＥＤ光源に供給される電力を制御する制御手段と、を備え、
前記ＬＥＤ光源が、５７０ｎｍ以上６１０ｎｍ以下の波長帯域に中心波長を有する光を出射し、５００ｎｍ以下の波長の光を実質的に出射しない第１の光源と、
５００ｎｍ以下の波長を含む白色または疑似白色光を出射する第２の光源を含み、
前記制御手段は、前記第１の光源と、前記第２の光源に供給される電力を個別に制御することを特徴とする動物用ＬＥＤ照明装置。
【請求項２】
前記外装部が電球型もしくは管型であることを特徴とする請求項１に記載の動物用ＬＥＤ照明装置。
【請求項３】
前記第１の光源が夜間の動物の睡眠時に使用される光源であり、前記第２の光源が昼間に使用される光源であることを特徴とする請求項１または２のいずれかに記載の動物用ＬＥＤ照明装置。
【考案の詳細な説明】
【技術分野】
【０００１】
本考案は、動物用ＬＥＤ照明装置に関する。
【背景技術】
【０００２】
近年、屋内外に設置可能な照明装置の光源として、発光ダイオード（ＬＥＤ）が採用される傾向にある。
【０００３】
光源に使用されるＬＥＤとしては、青色ＬＥＤに黄色蛍光体の補色を組み合わせた白色ＬＥＤが、よく知られている。また、青色ＬＥＤと緑色蛍光体、赤色蛍光体を組み合わせた白色ＬＥＤや、近紫外ＬＥＤと青色、緑色、赤色の三色の蛍光体を組み合わせた方式の白色ＬＥＤが提案されている。また、蛍光体を組み合わせずに、青色、緑色、赤色の三色のＬＥＤのみで構成された白色ＬＥＤも用いられている。
【０００４】
非特許文献１には、ヒトの概日リズム（サーカディアン・リズム）に関係するホルモンとしてメラトニンが存在し、このメラトニンの分泌が、夜の光によって抑制されることが、生活の夜型化の原因の１つとなること、特に、短波長の光成分を多く含む灯具の光が、メラトニンの分泌をより強く抑制することが報告されている。
【０００５】
また、特許文献１には、人間の生体リズムにとって好ましい光環境を、一日を通して生成できる照明器具が記載されている。具体的には、高照度光と中照度光と低照度光とを得ることができる照明器具と、照明器具の点灯制御を行う制御装置が開示されている。
【０００６】
また、特許文献２には、ヒト本来の自然な夜間睡眠の準備などの夜間に適するヒトの生理機能を妨げることなく、日常生活における照明用途としての満足度を確保できるＬＥＤ照明装置として、４００〜５６０ｎｍの波長帯域に含まれる光を発するＬＥＤ発光素子と、その光を励起させる蛍光体を含む照明装置が開示されている。
【０００７】
また、特許文献３には、哺乳動物の搾乳時において、高比率のメラトニンを有する乳を搾り出す方法として、夜間に５００ｎｍ以上の光を用いて、５００ｎｍ未満の光を用いない状態で搾乳する方法が開示されている。
【先行技術文献】
【特許文献】
【０００８】
【特許文献１】特開２０００−２５２０８４号公報
【特許文献２】特開２００９−１１７１６０号公報
【特許文献３】国際公開第２００７／０６８３６１号
【非特許文献】
【０００９】
【非特許文献１】時間生物学  Ｖｏｌ．１４，Ｎｏ．１，Ｐ．１３−２０（２００８）
【考案の概要】
【考案が解決しようとする課題】
【００１０】
従来のＬＥＤ光源を用いた照明は、夜間においても短波長の光を発する青色ＬＥＤを用いている場合が多く、この青色ＬＥＤを用いた照明が、動物のサーカディアン・リズムを乱すことが懸念される。特に、動物用の照明は、夜間において敵味方を区別し、また位置確認や所望の目的物を見つけることができるようにし、そして動物が急に眼を覚ました際にパニックを起こすことがないように、動物の睡眠時においても点灯させる必要がある。また、哺乳動物の夜間の搾乳においては、搾り出される乳のメラトニン含有量を減らすことがなく、かつ作業員の作業性を損なわない照明を用いる必要がある。
【００１１】
また、動物を畜舎内で飼育する場合は、昼夜において照明を必要とする場合がある。この場合、畜舎内に昼間用照明、夜間用照明の両方を設置する必要があり、これが畜舎を建設する際の設備投資のコストアップにつながっていた。
【００１２】
本考案は、上記事情を鑑みてなされたものであり、動物のサーカディアン・リズムを乱すことが少なく、動物の睡眠時においても使用可能であり、また、畜舎内の昼間の照明にも使用可能であり、また、一般的な灯具に取り付けることが可能な汎用性の高い動物用ＬＥＤ照明装置を提供することを目的とする。
【課題を解決するための手段】
【００１３】
上記課題を解決するため、本考案の動物用ＬＥＤ照明装置は、下記の構成を有する。
（１）ＬＥＤ光源と、前記ＬＥＤ光源を内包するように覆う、透光部材を含む外装部と、前記外装部に取り付けられた電極部と、前記電極部に付設され、前記電極部から前記ＬＥＤ光源に供給される電力を制御する制御手段と、を備え、前記ＬＥＤ光源が、５７０ｎｍ以上６１０ｎｍ以下の波長帯域に中心波長を有する光を出射し、５００ｎｍ以下の波長の光を実質的に出射しない第１の光源と、５００ｎｍ以下の波長を含む白色または疑似白色光を出射する第２の光源を含み、前記制御手段は、前記第１の光源と、前記第２の光源に供給される電力を個別に制御することを特徴とする動物用ＬＥＤ照明装置。
（２）前記外装部が電球型もしくは管型であることを特徴とする（１）に記載の動物用ＬＥＤ照明装置。
（３）前記第１の光源が夜間の動物の睡眠時に使用される光源であり、前記第２の光源が昼間に使用される光源であることを特徴とする（１）または（２）のいずれかに記載の動物用ＬＥＤ照明装置。
【考案の効果】
【００１４】
本考案の動物用ＬＥＤ照明装置は、第１のＬＥＤ光源として、５００ｎｍ以下の波長の光を実質的に出射しない光源を用いたものである。出射される光には、青色光などの短波長の光が含まれないため、動物がこの光を夜間に受けた場合に、その動物のサーカディアン・リズムの乱れを小さくすることができ、また、その動物の体内におけるメラトニン分泌の抑制を防ぐことができる。これにより、例えば哺乳動物の夜間の搾乳時に、その哺乳動物が当該ＬＥＤ光源の光を浴びた状態であっても、搾り出された乳に含有されるメラトニンの量を減らさないことが可能となる。
【００１５】
さらに、当該第１のＬＥＤ光源は、５７０ｎｍ以上６１０ｎｍ以下の波長帯域に中心波長を有する黄色と赤色の中間の色（オレンジ色）の光を出射するものであり、夜間における敵味方の区別、位置確認や所望の目的物の発見が可能な程度の明るさを有している。そのため、例えば、睡眠時において急に眼を覚ました動物が、パニックを起こすのを防ぐことができる。このように、本考案の第１の光源を使用した動物用ＬＥＤ照明装置は、動物の睡眠時においても使用可能であることにより、夜間であっても、その動物の世話をする作業員の作業性が損なわれないというメリットを有している。
【００１６】
また、本考案の動物用ＬＥＤ照明装置は、５００ｎｍ以下の波長を含む白色または疑似白色光を出射する第２の光源を含み、第１の光源と、第２の光源を切り替えて出射させることができる。このため、本考案の動物用ＬＥＤ照明装置は、動物を畜舎内で飼育するに際して、昼夜においても使用可能とすることができる。すなわち、夜間においては第１の光源を動物用ＬＥＤ照明装置として使用し、昼間においては第２の光源を動物用ＬＥＤ照明装置として使用することで、照明装置を共通化することが可能となり、畜舎を建設する際の設備投資のコスト削減をはかることができる。
【００１７】
また、本考案の動物用ＬＥＤ照明装置は、電球型、管型などの一般的な灯具に対して取り付けることが可能であるため、用途に応じた様々な形態をとることができ、汎用性が高い。
【図面の簡単な説明】
【００１８】
【図１】本考案の電球型動物用ＬＥＤ照明装置の例である。
【図２】本考案の管型動物用ＬＥＤ照明装置の例である。
【考案を実施するための形態】
【００１９】
以下、本考案を適用した実施形態である動物用ＬＥＤ照明装置の例について、図面を用いて詳細に説明する。なお、以下の説明で用いる図面は、特徴をわかりやすくするために、便宜上特徴となる部分を拡大して示している場合があり、各構成要素の寸法比率などが実際と同じであるとは限らない。また、以下の説明において例示される材料、寸法等は一例であって、本考案はそれらに限定されるものではなく、その要旨を変更しない範囲で適宜変更して実施することが可能である。
【００２０】
本考案における動物とは、牛、豚、めん羊、山羊、しか、鶏、うずら等の家畜の他、動物園、水族館等における展示動物、競馬場等における競走馬、犬、猫、うさぎ等の愛玩動物（ペット）を含む。
【００２１】
本考案の電球型動物用ＬＥＤ照明装置の構成例について説明する。図１は、本実施形態に係る動物用ＬＥＤ照明装置１００の平面図である。動物用ＬＥＤ照明装置１００を構成する電極部（口金）１０１は、同装置１００を構成する電球型（砲弾型）の外装部１０２に取り付けられている。電球型の外装部１０２は、一箇所に開口部１０２Ａが設けられたシェル構造をなしている。電極部１０１は、シェル構造の開口部１０２Ａに取り付けられ、この開口部１０２Ａを塞いでいる。
【００２２】
図１に示すように、動物用ＬＥＤ照明装置１００は、ＬＥＤ光源（第１の光源および第２の光源）１０３と、ＬＥＤ光源１０３を内包するように覆う、透光部材を有する外装部１０２と、外装部１０２に取り付けられた電極部１０１と、電極部１０１に付設され、電極部１０１からＬＥＤ光源１０３に供給される電力を制御する制御手段（制御回路）１０４と、制御手段１０４とＬＥＤ光源１０３とを接続する、第１リードワイヤ１０６Ａ、第２リードワイヤ１０６Ｂ、第３リードワイヤ１０６Ｃと、を備えている。
【００２３】
以上説明したように、本実施形態に係る動物用ＬＥＤ照明装置は、ＬＥＤ光源として、５７０ｎｍ以上６１０ｎｍ以下の波長帯域に中心波長を有する光を出射し、５００ｎｍ以下の波長の光を実質的に出射しない第１の光源と、５００ｎｍ以下の波長を含む白色または疑似白色光を出射する第２の光源を有している。
【００２４】
第１の光源は、出射される光には、青色光などの短波長の光が含まれないため、動物がこの光を受けた場合に、その動物のサーカディアン・リズムの乱れを小さくすることができ、また、その動物の体内におけるメラトニン分泌の抑制を防ぐことができる。これにより、例えば哺乳動物の夜間の搾乳時に、その哺乳動物が当該ＬＥＤ光源の光を浴びた状態であっても、搾り出された乳に含有されるメラトニンの量を減らさないことが可能となる。
【００２５】
さらに、第１の光源は、５７０ｎｍ以上６１０ｎｍ以下の波長帯域に中心波長を有する黄色と赤色の中間の色（オレンジ色）の光を出射するものであり、夜間における敵味方の区別、位置確認や所望の目的物の発見が可能な程度の明るさを有している。そのため、例えば、睡眠時において急に眼を覚ました動物が、パニックを起こすのを防ぐことができる。このように、本考案の動物用ＬＥＤ照明装置は、動物の睡眠時においても使用可能であることにより、夜間であっても、その動物の世話をする作業員の作業性が損なわれないというメリットを有している。
【００２６】
第２の光源は、５００ｎｍ以下の青色光などの短波長を含む白色または疑似白色光を出射するものである。白色光は青色光、赤色光、緑色光を混合することで生成可能であり、また疑似白色光は例えば、青色光、黄色光を混合することで生成可能である。動物がこの光を受けた場合は、動物の体内におけるメラトニン分泌が抑制され、活発な活動を促すことができる。
【００２７】
本実施形態に係る動物用ＬＥＤ照明装置１００では、電極部１０１に付設され、電極部１０１からＬＥＤ光源１０３に供給される電力を制御する制御手段１０４を備え、この制御手段１０４は、制御手段１０４とＬＥＤ光源１０３とを接続する、第１リードワイヤ１０６Ａ、第２リードワイヤ１０６Ｂ、第３リードワイヤ１０６Ｃによって、第１の光源と第２の光源１０３に供給される電力を個別に制御し、第１の光源による照射と、第２の光源による照射を切り替えることができる。切り替えの方法としては、外部からのリモートコントロールにより制御手段１０４を制御する方法、スイッチを用いた電極部１０１への通電を短い間隔で行う度に、昼間照明、夜間照明、消灯、を繰り返す方法など公知の制御手段を用いることができる。
【００２８】
また、本考案の動物用ＬＥＤ照明装置は、電球型、直管型もしくは別の型であっても、電極部の形状を加工することにより、既存の灯具に取り付けることが可能であり、汎用性が高い照明装置として活用することができる
【００２９】
本考案の直管型動物用ＬＥＤ照明装置の構成例について説明する。図２は、本実施形態に係る動物用ＬＥＤ照明装置２００の斜視図である。動物用ＬＥＤ照明装置２００を構成する電極部（口金）２０１が、同装置２００を構成する管型の外装部２０２に接続されている。管型の外装部２０２は、２つの端部のそれぞれに開口部２０２Ａが設けられた中空の筒状をなしている。
【００３０】
電極部２０１は、２つの開口部２０２Ａに取り付けられ、これらの開口部２０２Ａを塞いでいる。なお、外装部２０２の形状は、一方向にまっすぐ延びる直管型に限定されることはなく、例えば、曲がる部分を有するもの（サークライン型など）であってもよい。
【００３１】
動物用ＬＥＤ照明装置２００は、ＬＥＤ光源（第１の光源および第２の光源）２０３と、ＬＥＤ光源２０３を内包するように覆う、透光部材からなる外装部２０２と、外装部２０２に取り付けられた電極部２０１と、電極部２０１に付設され、電極部２０１からＬＥＤ光源２０３に供給される電力を制御する制御手段（制御回路）２０４と、制御手段２０４とＬＥＤ光源２０３とを接続する、第１リードワイヤ２０６Ａ、第２リードワイヤ２０６Ｂ、および第３リードワイヤ２０６Ｃと、を備えている。ＬＥＤ光源２０３は、外装部２０２内に配された平板状の部材等によって支持されている。外装部２０２は開口部２０２Ａを有し、その開口部２０２Ａを塞ぐように、電極部２０１が外装部２０２に取り付けられている。
【００３２】
本実施形態に係る動物用ＬＥＤ照明装置２００は、外装部２０２、電極部２０１以外の構成が、第一実施形態に係る動物用ＬＥＤ照明装置１００の構成と同様である。したがって、本実施形態に係る動物用ＬＥＤ照明装置２００においても、上述した第一実施形態に係る動物用ＬＥＤ照明装置１００と同様の効果を得ることができる。
【産業上の利用可能性】
【００３３】
本考案のＬＥＤ照明は、動物の睡眠時にも使用することが可能であるため、動物が急に眼を覚ました場合でも、パニックを起こすことを防ぐことができる。そのため、本考案のＬＥＤ照明は、家庭内でのペットの飼育、動物園、畜産場、競走馬場等の広い範囲で効果的に使用することが可能である。
【００３４】
また、本考案のＬＥＤ照明は昼間用照明としても用いることができるため、動物を畜舎内で飼育する場合は、畜舎を建設する際の照明装置の設備投資のコスト削減をはかることができる。
【符号の説明】
【００３５】
１００、２００・・・動物用ＬＥＤ照明装置、１０１、２０１・・・電極部、１０２、２０２・・・外装部、１０２Ａ、２０２Ａ・・・開口部、１０３、２０３・・・ＬＥＤ光源（第１の光源および第２の光源）、１０４、２０４・・・制御手段、１０６Ａ、２０６Ａ・・・第１リードワイヤ、１０６Ｂ、２０６Ｂ・・・第２リードワイヤ、１０６Ｃ、２０６Ｃ・・・第３リードワイヤ。
【図１】
0003204449.tif 000003
【図２】
0003204449.tif 000004